(57)【要約】      （修正有）【課題】コンパクトで携帯に便利で、迅速に使用でき、水上活動に従事する際のフレキシビリティに影響しない救命ブレスレットを提供する。【解決手段】救命ブレスレット１００であって、腕に巻き付けるリング体１０、リング体１０に連結する外殻２０、外殻２０内に折り畳まれるエアチューブ、外殻２０内に設置されるエアボトル、エアチューブとエアボトル間に連結されるコントロールバルブ、外殻２０上に枢設される保護蓋６０を有する。保護蓋６０が開放位置まで回されると、コントロールバルブのコントロールボタンは露出し、コントロールボタンが外力による操作を受けると、コントロールバルブはエアチューブとエアボトルを連通させ、エアボトル内の気体は瞬間的に放出され、エアチューブ内に充填され、エアチューブは体積を拡張し外殻２０を押し破って伸び出す。【選択図】図１
2016094181.tif 000002
【特許請求の範囲】
【請求項１】
救命ブレスレットであって、エアチューブ、エアボトル、コントロールバルブ、外殻、リング体を有し、
前記エアチューブ内には、気体を充填でき、
前記エアボトル中には、圧縮された気体を有し、
前記コントロールバルブは、前記エアチューブと前記エアボトルとの間に連結され、前記エアボトルの前記エアチューブに対する給気を制御し、前記コントロールバルブの閉鎖時には、前記エアボトルの前記エアチューブへの給気を遮断し、前記コントロールバルブを開くと、前記エアボトルは前記エアチューブに充填し、
前記外殻には、前記各構成部材を設置し、前記外殻の少なくとも一部分は、エアチューブに給気時の圧力を受けて押し破られ、或いは開かれ、これにより前記エアチューブは前記外殻から伸び出し、
前記リング体は、前記外殻と結合し、前記リング体は人体に装着することができることを特徴とする救命ブレスレット。
【請求項２】
前記リング体は、細長いベルト体、前記細長いベルト体一端に位置する第一結合部、前記細長いベルト体の反対端上に位置する第二結合部を有し、
前記第一結合部と前記第二結合部とは、繰り返し結合部と分離を行うことができ、
前記外殻は、前記細長いベルト体上に連結することを特徴とする請求項１に記載の救命ブレスレット。
【請求項３】
前記第一結合部及び前記第二結合部は、マジックテープ（登録商標）の組合せであることを特徴とする請求項２に記載の救命ブレスレット。
【請求項４】
前記リング体は、２本の細長いベルト体を有し、
前記２本の細長いベルト体の各一端は、前記外殻の両側に結合し、前記２本の細長いベルト体の反対の各端は、マジックテープ（登録商標）或いは留め具により、分離可能な方式で結合されることを特徴とする請求項１に記載の救命ブレスレット。
【請求項５】
前記外殻の外側面には、蓋を有し、
前記蓋は、エアチューブ給気時の圧力を受け、押し破られ、或いは開かれることを特徴とする請求項１に記載の救命ブレスレット。
【請求項６】
前記外殻の一辺には、内外に連通する穿孔を有し、
前記コントロールバルブは、コントロールボタンを有し、
前記コントロールボタンは、前記穿孔外に伸び出すことを特徴とする請求項１に記載の救命ブレスレット。
【請求項７】
前記救命ブレスレットは保護蓋をさらに有し、
前記保護蓋は、前記外殻上に枢設され、外力の作用を受け、保護位置と開放位置との間で、往復の回転を行い、
前記保護蓋が保護位置にある時には、前記コントロールバルブのコントロールボタン外を覆い、前記コントロールボタン上への外力の接触を防止し、
前記保護蓋が開放位置にある時には、前記コントロールボタンは露出することを特徴とする請求項６に記載の救命ブレスレット。
【請求項８】
前記救命ブレスレットはＧＰＳをさらに有することを特徴とする請求項１に記載の救命ブレスレット。
【発明の詳細な説明】
【技術分野】
【０００１】
本発明は救命器具に関し、特に救命ブレスレットに関する。
【背景技術】
【０００２】
一般に水上で作業、観光、或いは活動に従事している時には、安全なエリアを選択することはもちろんだが、本人或いは業者は、救命胴衣などの救命器具を準備しなければならない。
【０００３】
しかしながら、救命胴衣は嵩張るため、携帯に不便である。
且つ、救命胴衣を着用していると、水上で活動する際のフレキシビリティに悪影響を及ぼし、楽しみが低下するため、救命胴衣の着用を望まない人が多い。
【０００４】
上記のように、先行技術である救命胴衣には、嵩張り、着用が不便で、水上で活動する際のフレキシビリティに悪影響を及ぼす欠点がある。
【発明の概要】
【発明が解決しようとする課題】
【０００５】
これに基づき、上述の問題に対して、一種の、極めてコンパクトで、外出して水上活動に従事する使用者は、非常に簡単に装着することができる救命ブレスレットを提供する必要がある。
【課題を解決するための手段】
【０００６】
本発明による救命ブレスレットは、エアチューブ、エアボトル、コントロールバルブ、外殻、リング体を有する。
該エアチューブ内部には、気体を充填できる。
該エアボトル中には、圧縮された気体を有する。
該コントロールバルブは、該エアチューブと該エアボトルとの間に連結され、該エアボトルの該エアチューブに対する給気を制御する。
該コントロールバルブの閉鎖時には、該エアボトルの該エアチューブへの給気を遮断し、該コントロールバルブを開くと、該エアボトルは該エアチューブに充填する。
該外殻には、該各構成部材を設置し、該外殻の少なくとも一部分は、エアチューブに給気時の圧力を受けて押し破られ、或いは開かれ、これにより該エアチューブは該外殻から伸び出す。
該リング体は、該外殻と結合し、該リング体は人体に装着することができる。
【０００７】
本発明による救命ブレスレットにおいて、該リング体は、細長いベルト体、該細長いベルト体一端に位置する第一結合部、該細長いベルト体の反対端上に位置する第二結合部を有する。
該第一結合部と該第二結合部とは、繰り返し結合部と分離を行うことができる。
該外殻は、該細長いベルト体上に連結する。
【０００８】
本発明による救命ブレスレットにおいて、該第一結合部及び該第二結合部は、マジックテープ（登録商標）の組合せである。
【０００９】
本発明による救命ブレスレットにおいて、該リング体は、２本の細長いベルト体を有する。
該２本の細長いベルト体の各一端は、該外殻の両側に結合し、該２本の細長いベルト体の反対の各端は、マジックテープ（登録商標）或いは留め具により、分離可能な方式で結合される。
【００１０】
本発明による救命ブレスレットにおいて、該外殻の外側面には、蓋を有する。
該蓋は、エアチューブ給気時の圧力を受け、押し破られ、或いは開かれる。
【００１１】
本発明による救命ブレスレットにおいて、該外殻の一辺には、内外に連通する穿孔を有する。
該コントロールバルブは、コントロールボタンを有する。
該コントロールボタンは、該穿孔外に伸び出す。
【００１２】
本発明による救命ブレスレットは、保護蓋をさらに有する。
該保護蓋は、該外殻上に枢設され、外力の作用を受け、保護位置と開放位置との間で、往復の回転を行う。
該保護蓋が保護位置にある時には、該コントロールバルブのコントロールボタン外を覆い、該コントロールボタン上への外力の接触を防止する。
該保護蓋が開放位置にある時には、該コントロールボタンは露出する。
【００１３】
本発明による救命ブレスレットは、ＧＰＳをさらに有する。
【発明の効果】
【００１４】
本発明の実施形態を応用する特徴の一つは、本発明の救命ブレスレットは、極めてコンパクトで、外出して水上活動に従事する使用者は、非常に簡単に装着することができる。さらに、本発明のエアチューブは、気体を充填する前は、外殻内に折り畳まれるため、水上活動に従事する際のフレキシビリティに悪影響を及ぼすことはなく、船上観光或いは作業を含む各種の水上、海上活動に非常に適している。
【図面の簡単な説明】
【００１５】
【図１】本発明の一実施形態による救命ブレスレットの立体組合せ図である。
【図２】図１に示す実施形態の断面図である。
【図３】図１に示す実施形態の断面図である。
【図４】図１に示す実施形態の使用状態立体図である。
【図５】図１に示す実施形態の使用状態断面図である。
【図６】図１に示す実施形態の使用状態断面図である。
【図７】図１に示す実施形態の使用状態模式図である。
【発明を実施するための形態】
【００１６】
図１〜図７に示すとおり、本発明の実施形態による救命ブレスレット１００は、リング体１０、外殻２０、エアチューブ３０、エアボトル４０、コントロールバルブ５０、保護蓋６０を有する。
【００１７】
図１〜図３に示すとおり、リング体１０と外殻２０とは結合する。
リング体１０は、硬質或いは可撓性を備えるベルト状物で、上腕或いは下腕などの人体上にぴったりと巻いて身に付ける。
その材料は、ファブリック或いはプラスチックなどを選択することができる。
本実施形態においては、リング体１０は、細長いベルト体１１、細長いベルト体１１一端の正面上に位置する第一結合部１２、細長いベルト体１１反対端の反対面上に位置する第二結合部１３を有する。
第一結合部１２は、マジックテープ（登録商標）のループ面で、第二結合部１３は、マジックテープ（登録商標）のフック面である。
第一結合部１２と第二結合部１３とは、繰り返し結合と分離が可能である。
【００１８】
第一結合部１２と第二結合部１３とは、他の形態の留め具を採用することもできる。
リング体１０（細長いベルト体１１）も、２本の細長いベルト体１１とすることができる。
２本の細長いベルト体１１の各一端は、外殻２０に結合し、２本の細長いベルト体１１の反対の各端は、マジックテープ（登録商標）或いは他の留め具を利用し、結合或いは分離が可能である（図示なし）。
【００１９】
図１〜図３に示すとおり、外殻２０には、本発明の他の構成部材を設置することができる。
外殻２０とリング体１０の片側とは、結合し、本実施形態では、リング体１０の細長いベルト体１１中段外表面上に連結する。
外側面などの外殻２０の一部には、蓋２１を有する。
蓋２１は、予定の内在圧力を受けて、押し破られ、或いは開く。
そのため、蓋２１の材料は、ガラス、割れ易いプラスチックを選択し、蓋２１が圧力を受けると破裂するようにする。
さらに、蓋２１は、係止の方法により外殻２０に固定することもでき、プラスチック材質の蓋２１の弾性を利用し、内圧は蓋２１を押し破ることができる（図示なし）。
また、外殻２０の一辺側上には、内外に連通する穿孔２２を有する。
【００２０】
図１乃至図３に示すとおり、エアチューブ３０内部には、気体を充填することができる。
エアチューブ３０は、外殻２０の内部に折り畳み式に設置され、気体の充填を受けて、体積を拡張する。
【００２１】
図１乃至図３に示すとおり、エアボトル４０内には、圧縮された空気、窒素、或いは他のイナートガスなどの気体を充填する。
エアボトル４０は、外殻２０の内部に固定して設置され、外力の制御を受けて瞬間的に気体を放出する。
【００２２】
図１乃至図３に示すとおり、コントロールバルブ５０は、エアチューブ３０とエアボトル４０との間に連結し、外殻２０穿孔２２外へと伸び出すコントロールボタン５１を有する。
コントロールボタン５１は、プッシュ式或いはダイヤル式である。
コントロールボタン５１が外力作用を受けていない時には、コントロールバルブ５０は、エアチューブ３０とエアボトル４０との間の連通を遮断する。
コントロールボタン５１が外力を受け、押され或いは操作されると、コントロールバルブ５０は開き、エアチューブ３０とエアボトル４０とを連通させる。
これにより、エアボトル４０内の気体は、瞬間的に放出され、エアチューブ３０内に充填される。
【００２３】
図１乃至図３に示すとおり、保護蓋６０は、外殻２０上に枢設され、外力作用を受け、保護位置と開放位置との間で、往復の回転を行う。
保護蓋６０が保護位置にある時には、コントロールバルブ５０のコントロールボタン５１外を覆い、外力のコントロールボタン５１上への接触を防止する。
保護蓋６０が開放位置にある時には、コントロールボタン５１は露出し、外力は、コントロールボタン５１上に接触することができる。
【００２４】
本発明の実施形態による救命ブレスレット１００の使用における特徴を以下に説明する。
【００２５】
使用者が遊泳、或いは他の水上活動を行おうとする時には、本発明のリング体１０を腕に取り付ける。
その際には、先ず、細長いベルト体１１を上に巻き、次に第一結合部１２と第二結合部１３とを、粘着結合させ、これにより、リング体１０は、上に巻き付けられる。
こうして、本発明の装着作業は簡単に完成される。
【００２６】
使用者に、足が吊る、体力が不足、或いは船から水に落ちるなどの他の想定外の事態が発生すると、保護蓋６０を保護位置から開放位置へと迅速に回し、コントロールバルブ５０のコントロールボタン５１を押し、エアボトル４０内の気体を瞬間的に放出させ、エアチューブ３０内に充填させる。
これにより、エアチューブ３０は、急速に体積を拡張し、その圧力は、外殻２０の蓋２１を押し破り、或いは開く。
こうして、エアチューブ３０は、外殻２０外へと伸び出し（図４乃至図６参照）、エアチューブ３０内の気体により、使用者は水面に浮かぶことができる（図７参照）。
これにより、使用者が溺れる事態の発生を回避できるばかりか、使用者が体力を回復させる時間を稼ぐことができ、及び使用者が救援を待つ時間を拡大でき、溺死事故の発生を減らすことができる。
【００２７】
図７に示す実施形態では、片腕にのみ本発明の救命ブレスレット１００を装着しているが、両腕共に本発明の救命ブレスレット１００を装着することもでき、これにより使用者は水中においてより快適でより安全となる。
【００２８】
本発明は極めてコンパクトで、外出して水上活動に従事する使用者は、非常に簡単に装着することができる。
さらに、本発明のエアチューブは、気体を充填する前は、外殻内に折り畳まれるため、水上活動に従事する際のフレキシビリティに悪影響を及ぼすことはなく、船上観光或いは作業において非常に便利である。
【００２９】
本発明はＧＰＳ７０をさらに有する。
ＧＰＳ７０により、水に落ちた人は、素早く見つけられる。
ＧＰＳ７０は、従来の技術であるため、説明を省く。
【００３０】
前述した本発明の実施形態は本発明を限定するものではなく、よって、本発明により保護される範囲は後述される特許請求の範囲を基準とする。
【符号の説明】
【００３１】
１００  救命ブレスレット
１０  リング体
１１  細長いベルト体
１２  第一結合部
１３  第二結合部
２０  外殻
２１  蓋
２２  穿孔
３０  エアチューブ
４０  エアボトル
５０  コントロールバルブ
５１  コントロールボタン
６０  保護蓋
７０  ＧＰＳ
【図１】
2016094181.tif 000003
【図２】
2016094181.tif 000004
【図３】
2016094181.tif 000005
【図４】
2016094181.tif 000006
【図５】
2016094181.tif 000007
【図６】
2016094181.tif 000008
【図７】
2016094181.tif 000009